(57)【特許請求の範囲】
【請求項１】
丸パイプの端部に固定するための固定手段を両側に有し、中間部分を合成樹脂によりフレキシブルな蛇管部に形成した丸パイプを接続するコーナー部材であって、前記両側の固定手段の間にワイヤが配置されていることを特徴とする丸パイプを接続するコーナー部材。
【発明の詳細な説明】
【０００１】
【産業上の利用分野】
本発明は、建設現場等で利用される丸パイプによる仮設手摺などに用いるコーナー部材に関する。
【０００２】
【従来の技術】
建設現場などでは、丸パイプによる足場或いは手摺が組み立てられるが、このとき丸パイプは直線ジョイントや直交・自在・三連などの各種クランプによって連続方向・交差状態などお互いに結束されることになる。
【０００３】
丸パイプにより仮設手摺を組み立てる場合、従来は、手摺となる丸パイプの端部をコーナー部の支柱部分で交差させてクランプで結束するか、或いは、コーナー部に２本の支柱を立て、この支柱に丸パイプの端部を結束することが行われていた。
【０００４】
実開平６−２５４４９号公報には、丸パイプの端部を屈曲自在なスプリングに構成された自在継手が記載されている。
【０００５】
【発明が解決しようとする課題】
上記した従来の仮設手摺のコーナー部では、手摺となる丸パイプの端部或いはクランプが突出した状態となり危険であり、手摺となる丸パイプの高さが変わってしまう、見栄えが悪い、などの欠点があった。
【０００６】
また、上記した実開平６−２５４４９号公報に示されている屈曲自在なスプリングによる丸パイプ端部の接続では、例えば９０度の角度の接続と、３０度の角度の接続とでは、スプリングの隙間に差が生じ、隙間が大きいと、これに作業服の端がはさまったりする危険があり、安全上の問題がある。
【０００７】
本発明は、上記した従来の欠点を解決した丸パイプを利用した仮設手摺を明らかにすることを目的とする。
【０００８】
【課題を解決するための手段】
本発明に係る丸パイプを接続するコーナー部材は、丸パイプの端部に固定するための固定手段を両側に有し、中間部分を合成樹脂によりフレキシブルな蛇管部に形成した丸パイプを接続するコーナー部材であって、前記両側の固定手段の間にワイヤが配置されていることを特徴とする。
【０００９】
【発明の具体的構成】
次に、添付の図面に従って本発明を更に詳細に説明する。
【００１０】
図１において、手摺丸パイプ１・２は、支柱丸パイプ３・４に図示しないクランプにより固定され、手摺丸パイプ１と２の端部間にはコーナー部材５が取り付けられる。手摺丸パイプ１・２は、従来例と比較して、隣接する手摺丸パイプどうしが交差しないので、略同じ高さで手摺とすることが可能である。
【００１１】
コーナーにおいて、手摺丸パイプ１・２の端部どうしは余り近づけない方が、コーナーに角を形成しないので望ましい。若干離間させるようにすればコーナーを柔らかに設定することができる。また、このように設定することで、通行や作業の際に接触する等の事故が防止でき、作業の安全性の向上に有利である。
【００１２】
図２に示す参考例には、丸パイプを接続するコーナー部材５が示されている。図示の態様において、コーナー部材５の蛇管部５Ａは、軟質或いは半硬質の合成樹脂製で蛇管状に形成し、フレキシブルであり折り曲げ角度が調整できるものである。フレキシブルであることは、コーナー部が必ずしも常に直角とは限らないことから必要であって、また、フレキシブルであると同時に一定の強度を持つ必要があるので、蛇管状に形成する。更に、手摺丸パイプ１・２の端部に対し、容易に脱落しない程度の強度で取り付けるために、例えば、従来の直線ジョイントの如くに、両端に丸パイプ端部に対する金属製の固定手段５Ｂ・５Ｂを備えておき、丸パイプ１・２の端部近くの内側に用意されているピンを利用して固定するように構成されている。尚、コーナー部材５の両端部近くに締め付けネジなどを用意しておく手段でもよい。バンドを利用して締め付けるようにすることも可能である。
【００１３】
パイプ１・２を支柱３・４に固定するクランプを利用して、コーナー部材５の固定手段５Ｂ・５Ｂをパイプ１・２の端部に固定する構成であってもよい。
【００１４】
図示のように、コーナー部材５の両端部の固定手段５Ｂ・５Ｂをパイプ１・２の端部の内側に嵌め込む方式とは別に、パイプ１・２の端部の外側に一定の深さだけ嵌め込む方式であってもよい。
【００１５】
コーナー部材５の固定手段はその両端において同一の方式である必要はなく、更には、一端側にだけ固定手段が備えられており、他方がフリーであり、単なる嵌合ないしは差し込みだけである態様であってもよい。この場合、フリーの一端は回動させて止める固定手段を備えることが好ましい。
【００１６】
コーナー部材５は、固定手段５Ｂの長さＬ1を１としたとき、蛇管部５Ａの長さＬ2を２以上とする。
【００１７】
このように、蛇管部５Ａを固定手段５Ｂよりも十分に長くすることにより、コーナー部材５の手摺丸パイプ１・２への嵌め込み代を蛇管部５Ａを曲げることで確保することが可能となり、手摺丸パイプ１・２が何本も繋がった手摺部全体を軸方向に移動させることなく、回転によってピンによる固定を解除することができ、これによりコーナー部材５を手摺丸パイプ１・２から引き抜いたり、差し込んだりすることができる。
【００１８】
更に、前述のように、コーナー部材５の固定手段５Ｂの一方をフリーとした場合には、手摺丸パイプ１・２の回転さえも不要となる。このことにより、材料を取り込む際などの一時的な手摺の架けばらし作業を簡略化することができる。
【００１９】
コーナー部材５を合成樹脂材で形成する態様では、コーナーであることを明認させる目的で、黄色など着色された合成樹脂材を利用することが好ましい。
【００２０】
また、図２に示すように、コーナー部材５が手摺丸パイプ３に確実に固定されていることを目視で確認できるように、黒その他の色で位置決め表示５Ｃを設けるようにすることが好ましい。
【００２１】
現場においては、作業員の安全確保のために、手摺丸パイプ１・２及びコーナー部材５に安全帯からの命綱の端部を引っ掛けることがある。このような場合、蛇管部５Ａが合成樹脂製である態様では、衝撃により損壊してしまい安全確保に問題が生じる虞がある。このような事態の発生を防止するため、本発明では図３に示すように、合成樹脂製の蛇管部５Ａの内側又は外側に金属製のワイヤ６を配置する。ワイヤ６の端部は、金属製である固定手段５Ｂの端部（カラー部分）に接続するものとする。ワイヤ６の太さは限定されないが、直径約１３ｍｍ程度とする。
【００２２】
ワイヤ６を蛇管部５Ａの内部に配置する態様では、ワイヤ６が雨水に触れないので錆び防止に有効であり、また、外部に配置する態様では、ワイヤ６の状態を目視確認することが可能であるので安心感が得られ、また、製造上の簡易性にも利点がある。尚、本実施例において、前記位置決め表示５Ｃを設けてもよい。
【００２３】
【発明の効果】
本発明に係る仮設手摺用のコーナー部材を用いれば、丸パイプを用いて構築する仮設手摺のコーナー部において、手摺となる丸パイプの端部が突出することがないので、移動ないしは運搬作業などに際して丸パイプの端部に引っかかるなどの事故を未然に防ぐことができ、作業の安全性向上に有利なだけでなく、コーナー部を境として、手摺となる丸パイプの高さが変わってしまう欠点も解決することができる。
【００２４】
また、本発明に係るコーナー部材では、上記した実開平６−２５４４９号公報に示されている屈曲自在なスプリングによる自在継手と異なり、スプリングの隙間に作業服の端などが引っかかるなどの事故の危険が回避され安全である。
【図面の簡単な説明】
【図１】本発明の施工例を示す概略図
【図２】本発明の参考例を示す平面図
【図３】本発明の実施例を示す平面図
【符号の説明】
１−手摺となる丸パイプ
２−手摺となる丸パイプ
３−支柱となる丸パイプ
４−支柱となる丸パイプ
５−コーナー部材
５Ａ−蛇管部
５Ｂ−固定手段
５Ｃ−位置決め表示
６−ワイヤ
【図１】
0003586316.tif 000002
【図２】
0003586316.tif 000003
【図３】
0003586316.tif 000004